(57)【特許請求の範囲】
【請求項１】
内容物が充填されたチューブ容器の裾部及び胴部を挟んで設けられ、両側から押圧して、内容物を注出する押板と、その押板にチューブ容器を固定するチューブ固定手段とからなり、
前記チューブ容器は、その胴部が前記押板の間に挟まれ、かつ押板上に少なくとも１本載置されており、
前記押板は、順次独立して押圧できるように、仕切手段で仕切られる複数の押板片から構成されており、
前記仕切り手段は、チューブ容器を挟んで対向するように配置されており、
前記チューブ固定手段は、チューブ容器を押板に挟着、嵌合又は接着させて固定しており、
前記対向する各々の押板片を押圧することにより、内容物が段階的に注出されることを特徴とするチューブ容器絞り出し器具。
【請求項２】
前記複数の押板片からなる押板の側面に、薄いシートを設けたことを特徴とする請求項１記載のチューブ容器絞り出し器具。
【請求項３】
１本のチューブ容器には染毛１剤、他の１本には染毛２剤が各々充填されたチューブ容器が、押板上に２本載置されたことを特徴とする請求項１又は２記載のチューブ容器絞り出し器具。
【請求項４】
前記仕切り手段に、補強部が設けられたことを特徴とする請求項１〜３のいずれかに記載のチューブ容器絞り出し器具。
【請求項５】
前記押板の端部に、チューブ容器の口部を挿入又は係合する孔を形成したことを特徴とする請求項１〜４のいずれかに記載のチューブ容器絞り出し器具。
【請求項６】
チューブ容器の胴部を挟んで両側に配置され、かつ順次独立して押圧できるように仕切手段で仕切られる複数の押板片から構成されると共に、前記仕切り手段がチューブ容器を挟んで対向するように配置されている押板を用い、
前記チューブ容器の裾部近傍に対応する対向している押板片を初期押圧し、次に胴部近傍、肩部近傍に順次対応する各々の押板片を押圧することにより、同量の内容物を段階的に注出することを特徴とするチューブ容器の絞り出し方法。
【請求項７】
前記チューブ容器の口部を、押板に形成した孔に挿入し、押板を両側から指で押圧し、チューブ容器の口部、肩部の残留内容物を最後まで注出することを特徴とする請求項６記載のチューブ容器の絞り出し方法。
【発明の詳細な説明】
【技術分野】
【０００１】
本発明は、チューブ容器絞り出し器具に関し、さらに詳しくは、少なくとも１本のチューブ容器から内容物を迅速に同量に注出でき、かつチューブ内の内容物の残量が少ないチューブ容器絞り出し器具に関する。
【背景技術】
【０００２】
従来、一般的に、チューブ容器から内容物を注出する場合、指でチューブ容器の胴部を押圧して絞り出している。そして、２本のチューブ容器から各々の内容物を注出し、使用時にこれらの内容物を混合して使用する場合、２本のチューブ容器の染毛剤を、２本ずつ指で押圧してトレイ内に絞り出し、トレイ内で混合して使用していた。又器具を使用して、２本のチューブ容器を一度に絞り出す場合は、２本のチューブ容器を器具で固定し、かつチューブ容器を回転しながら巻上具等で巻いていくことにより、１剤、２剤の染毛剤を一度にトレイ内に絞り出していた。従来の特許公報としては、特許文献１及び文献２がある。
【先行技術文献】
【特許文献】
【０００３】
【特許文献１】実開昭４７−３７３４０号公報
【特許文献２】実開昭６３−２１２４５号公報
【発明の概要】
【発明が解決しようとする課題】
【０００４】
しかしながら、指でチューブ容器の胴部を押圧して絞り出す場合、１枚の平板で２本のチューブ容器を同時に押すため、染毛剤等の内容物を、段階的に同量だけ絞り出すのが困難であり、いずれかの内容物の用量が多くなったり、又絞り出すために時間がかかるという欠点があった。又従来の器具を使用して染毛剤等の内容物を絞り出す場合、器具の構造が複雑かつ部品点数が多い場合があり、製造コストが高くなるという欠点があった。
この発明は、このような課題に着目してなされたものであり、チューブ容器から染毛剤等の内容物を迅速かつ同量だけ注出でき、又２本以上のチューブ容器にあっては、段階的に迅速かつ同量注出できると共に、簡単な構造で部品点数を少なく安価に製造でき、さらには内容物の残量が少ないチューブ容器絞り出し器具を提供することを目的とする。
【課題を解決するための手段】
【０００５】
この課題を解決するため、請求項１記載の発明の解決手段は、内容物が充填されたチューブ容器の裾部及び胴部を挟んで設けられ、両側から押圧して、内容物を注出する押板と、その押板にチューブ容器を固定するチューブ固定手段とからなり、前記チューブ容器は、その胴部が前記押板の間に挟まれ、かつ押板上に少なくとも１本載置されており、前記押板は、順次独立して押圧できるように、仕切手段で仕切られる複数の押板片から構成されており、前記仕切り手段は、チューブ容器を挟んで対向するように配置されており、前記チューブ固定手段は、チューブ容器を押板に挟着、嵌合又は接着させて固定しており、前記対向する各々の押板片を押圧することにより、内容物が段階的に注出されることを特徴とするチューブ容器絞り出し器具である。
【０００６】
請求項２記載の発明の解決手段は、複数の押板片からなる押板の側面に、薄いシートを設けたことを特徴とするチューブ容器絞り出し器具である。
【０００７】
請求項３記載の発明の解決手段は、１本のチューブ容器には染毛１剤、他の１本には染毛２剤が各々充填されたチューブ容器が、押板上に２本載置されたことを特徴とするチューブ容器絞り出し器具である。
【０００８】
請求項４記載の発明の解決手段は、仕切手段に、補強部が設けられたことを特徴とするチューブ容器絞り出し器具である。
【０００９】
請求項５記載の発明の解決手段は、押板の端部に、チューブ容器の口部を挿入又は係合する孔を形成したことを特徴とするチューブ容器絞り出し器具である。
【００１０】
請求項６記載の発明の解決手段は、チューブ容器の胴部を挟んで両側に配置され、かつ順次独立して押圧できるように仕切手段で仕切られる複数の押板片から構成されると共に、前記仕切り手段がチューブ容器を挟んで対向するように配置されている押板を用い、前記チューブ容器の裾部近傍に対応する対向している押板片を初期押圧し、次に胴部近傍、肩部近傍に順次対応する各々の押板片を押圧することにより、同量の内容物を段階的に注出することを特徴とするチューブ容器の絞り出し方法である。
【００１１】
請求項７記載の発明の解決手段は、チューブ容器の絞り出しにおいて、チューブ容器の口部を、押圧板に形成した孔に挿入し、押板を両側から指で押圧し、チューブ容器の口部、肩部の残留内容物を最後まで注出することを特徴とするチューブ容器の絞り出し方法である。
【発明の効果】
【００１２】
本発明に係るチューブ容器絞り出し器具は、チューブ容器から染毛剤等の内容物を迅速に注出でき、又２本以上のチューブ容器にあっては、染毛剤等の内容物を、段階的に迅速かつ同量注出できる効果を有する。又内容物の残量を少なくできると共に、構造が簡単で部品点数が少なく安価に製造することができる効果を奏する。
【図面の簡単な説明】
【００１３】
【図１】本発明に係るチューブ容器絞り出し器具において、押板にチューブ容器を挟んだ状態で、内容物を注出している状態を示す断面図である。
【図２】本発明に係るチューブ容器絞り出し器具において、押板にチューブ容器を挟んだ状態で、内容物を注出している状態を示す断面図である。
【図３】本発明に係るチューブ容器絞り出し器具において、押板にチューブ容器を挟んだ状態で、内容物を注出している状態を示す断面図である。
【図４】本発明に係るチューブ容器絞り出し器具において、押板にチューブ容器を挟んだ状態で、内容物を注出している状態を示す断面図である。
【図５】本発明に係るチューブ容器絞り出し器具において、押板上にチューブ容器を載置する状態を示す実施例１を示す平面図。
【図６】本発明に係るチューブ容器絞り出し器具において、押板上にチューブ容器を載置する状態を示す実施例２を示す平面図。
【図７】本発明に係るチューブ容器絞り出し器具において、１本のチューブ容器から内容物を注出している状態を示す平面図。
【図８】本発明に係るチューブ容器絞り出し器具において、２本のチューブ容器から内容物を注出している状態を示す平面図。
【図９】本発明に係るチューブ容器絞り出し器具において、押板に形成した孔に、チューブ容器の口部を挿入している状態を示す斜視図。
【図１０】本発明に係るチューブ容器絞り出し器具において、チューブ容器の口部、肩部の残留内容物を注出している状態を示す断面図。
【図１１】本発明に係るチューブ容器絞り出し器具において、押板の側面に薄いシートを設けた実施例３を示す断面図。
【発明を実施するための形態】
【００１４】
以下、本発明の実施例の一例を図面に基づいて説明する。
【実施例１】
【００１５】
図１〜図４は、この発明に係る実施例１を示す図面である。１は押板であり、ポリプロピレン等の合成樹脂の薄板、ボール紙、金属の薄板等の材料で造られている。押板１の肉厚は０．５〜５ｍｍが適し、好ましくは１〜１．５ｍｍが適する。そして、押板１は、相互に折り曲げられてもよいが、２枚の押板１をヒンジ等の薄板で連結或いは接着されてもよい（図示せず）。この押板１の間には、染毛剤等の内容物が充填されたチューブ容器５が挟み込まれている。押板の長さは、チューブ容器１の丈に合わせて任意に決定できる。さらに、押板１は複数に分割され、各々押板片２ａ、２ｂ、２ｃ、２ｄから構成されている。そして、押板片２ａ、２ｂ、２ｃ、２ｄの境目には、分割される部位に仕切り手段３が形成されている。このように、押板１は複数の押板片に分割されているので、押板片２ａ、２ｂ、２ｃ、２ｄは、順次独立してチューブ容器５を押圧することができる。
【００１６】
仕切り手段３は、実施例１では溝部３ａであり、溝部３ａの押板長手方向における寸法は０．５〜３ｍｍが適し、好ましくは１ｍｍが適する。又押板１の分割数は、実施例１では４分割されているが、チューブ容器５の長さに応じて分割数を任意に決定することができる。押板片の長さは、チューブ容器１の丈に合わせて任意に決定できる。仕切り手段３は、他の実施例として、自由に折曲げが可能な折曲部或いは薄肉のヒンジ等であってもよい（図示せず）。実施例１の仕切手段３の溝部３ａでは、溝部３ａの幅の拡大を防止するために、補強部４が形成され、各々押板片２ａ、２ｂ、２ｃ、２ｄの溝部３ａの連結が強化されている。補強部４の押板幅方向における寸法は０．５〜３ｍｍが適し、好ましくは１ｍｍが適する。
【００１７】
この発明に係るチューブ容器絞り出し器具は、押板１の間には、１本のチューブ容器（図７参照）又は２本のチューブ容器（図８参照）が挟み込まれる。さらに２本以上であってもよい。図１〜図４及び図８は、２本のチューブ容器５が挟み込まれた実施例を示す図面である。２本のチューブ容器５が挟み込まれた場合は、例えばチューブ容器５には、各々染毛１剤（塩基性酸化染料）と染毛２剤（過酸化水素を主成分とする酸化剤）が充填されている。２本のチューブ容器５の裾部及び胴部は、押板１の表面と接触するように、押板１に、チューブ容器４を単に挟み込むだけか、嵌合又は接着等の方法で載置される。
【００１８】
チューブ容器５から、例えば各々染毛１剤（塩基性酸化染料）と染毛２剤（過酸化水素）を注出する場合、まず図１に示すように、チューブ容器５の裾部近傍を、押板１の押圧片２ａを両側から押圧すると、裾部近傍の染毛１剤及び染毛２剤が同量注出される。次に、図２に示すように、胴下部近傍を、押板１の押圧片２ｂで両側から押圧すると、２ｂにより胴下部近傍の染毛１剤及び染毛２剤が同量注出される。このようにして、図３、図４に示すように、段階的に２ｃ、２ｄと押圧することにより、チューブ容器５からすべての染毛剤を注出することができる。これら各押圧片２ａ、２ｂ、２ｃ、２ｄの押圧によって注出された染毛剤の注出量は、ほぼ同量である。また、最後まで確実に同量の染毛剤を注出することができるように、押圧片又はチューブ容器５に押圧順序を示す表示（図示せず）を付してもよい。この表示は、番号や矢印等の文字、記号、図形あるいは色彩等のいずれか又はこれらの組合せによって表現することができる。このような表示を付すには、例えば、印刷、フィルムやラベルの貼着、刻印、彫刻等の方法や、各押圧片を複数色からなる材料で形成する方法など公知の方法を用いることができる。なお、チューブ容器５から注出された染毛剤は、トレイ（図示せず）等内で混合した後毛髪に塗布される。
【実施例２】
【００１９】
図６、図９及び図１０は、この発明に係る実施例２を示す図面である。実施例１と異なる点は、押板１１の一端に、チューブ容器１５の口部１６が挿入される孔１７が形成されている実施例である。この実施例２は、押板１１の押板片１２ａ、１２ｂ、１２ｃ、１２ｄにより、チューブ容器１５の裾部及び胴部の内容物を注出するだけでなく、チューブ容器１５の肩部に残留する内容物を、完全に注出するための実施例である。図９（ａ）は孔１７にチューブ容器１５の口部１６を挿入している実施例である。図１０に示すように、指で肩部を挟みながら、押板１１を両側から、指で強く押圧して潰すことにより、肩部に残留する内容物を最後まで絞り出すことができる。なお、図９（ｂ）に示すように、孔１７の側部に切欠き１７ａを形成し、チューブ容器１５の口部１６を、押板１１の横方向からスライドさせて孔１７に係合してもよい。また、実施例１と同様に、最後まで確実に同量の染毛剤を注出することができるように、押圧片又はチューブ容器５に押圧順序を示す表示（図示せず）を付してもよい。
【実施例３】
【００２０】
図１１（ａ）及び（ｂ）は、この発明に係る実施例３を示す図面である。実施例１と異なる点は、押板片２２ａ、２２ｂ、２２ｃ、２２ｄの側面に、合成樹脂、ボール紙又は金属等の材料で造られた薄いシート２５が設けられた点である。この薄いシート２５の肉厚は、０．１〜３ｍｍが適し、好ましくは０．２〜１ｍｍである。押板片２２ａ、２２ｂ、２２ｃ、２２ｄからなる押板２１と薄いシート２５は、接着剤２４等で接着されるか、或いは押板片２２ａ、２２ｂ、２２ｃ、２２ｄからなる押板２１と薄いシート２５とは一体成形で造られる。また、実施例１と同様に、最後まで確実に同量の染毛剤を注出することができるように、押圧片又はチューブ容器５に押圧順序を示す表示（図示せず）を付してもよい。
【産業上の利用可能性】
【００２１】
本発明に係るチューブ容器絞り出し器具は、チューブ容器から内容物を、段階的に迅速かつ同量注出できるので、特に染毛剤の注出に便利である。そして、チューブ容器内の内容物の残量を極力少なくでき、又簡単な構造で安価に製造することができるので、薬品、食料品等のチューブ容器の絞り出し器具としても広く用いることができる。
【符号の説明】
【００２２】
押板  １，１１，２１
押板片  ２ａ，２ｂ，２ｃ，２ｄ，１２ａ，１２ｂ，１２ｃ，１２ｄ，２２ａ，２２ｂ，２２ｃ，２２ｄ
仕切手段  ３
溝部  ３ａ，１３ａ，２３ａ
補強部  ４，１４
チューブ容器  ５，１５
口部  ６，１６
孔  １７
【図１】
0005291142.tif 000002
【図２】
0005291142.tif 000003
【図３】
0005291142.tif 000004
【図４】
0005291142.tif 000005
【図５】
0005291142.tif 000006
【図６】
0005291142.tif 000007
【図７】
0005291142.tif 000008
【図８】
0005291142.tif 000009
【図９】
0005291142.tif 000010
【図１０】
0005291142.tif 000011
【図１１】
0005291142.tif 000012